(57)【要約】【課題】音量調整の技術において、ツマミの可動範囲全体を有効活用して微調整を容易にする。【解決手段】ズーム手段４０は、フェーダー部１０で与えられる所定の設定操作に応じ、ツマミ１０の位置と前記制御量との倍率の変更を行う。操作されるフェーダツマミの位置に対する音声の制御量を、目盛りに対し通常の１対１だけでなく２倍、３倍、５倍などに倍率をズームさせることにより、可動範囲全体を活かし所望の音量レベル付近で細かな音量制御をオペレータ等が容易に行えるようになる。ズームにより音量調整範囲が限定されるため、音量調整量にリミットをかけ、誤操作を防止する効果も得られる。例えば、音声制御範囲について、本来１０ｄＢ〜−∞のところズーム倍率２倍とすれば、５ｄＢから−∞となり、５ｄＢ以上の制御に対するリミットが実現できる。【選択図】図１
2008199259.tif 000002
【特許請求の範囲】
【請求項１】
操作用のフェーダーツマミと、
与えられる音声信号入力に対し、前記ツマミの位置に応じた制御量の音量調整を施して音声出力とする音声制御部と、
を有する音量調整装置において、
与えられる所定の設定操作に応じ、前記ツマミの位置と前記制御量との倍率の変更を行うズーム手段
を、コンピュータの演算制御部で実現することを特徴とする音声調整装置。
【請求項２】
前記ズーム手段は、前記設定操作が開始されたときの前記ツマミの位置を、前記制御量の変更されない基準点として、前記倍率を変更するように構成されたことを特徴とする請求項１記載の音声調整装置。
【請求項３】
前記ズーム手段は、前記倍率の変更について、遷移所要時間であるズーム時間の設定を受け付けるとともに、所定の操作を受けて前記倍率の変更を前記ズーム時間をかけて漸次行うように構成されたことを特徴とする請求項１又は２記載の音量調整装置。
【請求項４】
操作用のフェーダーツマミと、
与えられる音声信号入力に対し、前記ツマミの位置に応じた制御量の音量調整を施して音声出力とする音声制御部と、
を有する音量調整装置を用いる音量調整方法において、
与えられる所定の設定操作に応じ、前記ツマミの位置と前記制御量との倍率の変更を行うズーム処理を、コンピュータの演算制御部で実現するズーム手段で実行することを特徴とする音声調整方法。
【請求項５】
操作用のフェーダーツマミと、
与えられる音声信号入力に対し、前記ツマミの位置に応じた制御量の音量調整を施して音声出力とする音声制御部と、
を有する音量調整装置において、コンピュータの演算制御部を制御することにより、ズーム手段を実現する音量調整プログラムであって、
与えられる所定の設定操作に応じ、前記ツマミの位置と前記制御量との倍率の変更を行うズーム処理を、前記ズーム手段に実行させることを特徴とする音声調整プログラム。
【発明の詳細な説明】
【技術分野】
【０００１】
本発明は、放送用等に使用する音量調整（ミキシング）装置に関する。
【背景技術】
【０００２】
従来から、放送用などの音量調整（ミキシング）に使用される音声調整卓といった音量調整装置は、フェーダーと呼ばれるスイッチ部において、目盛りにしたがってツマミを直線状の可動範囲内でスライドさせる操作により、音量の大小を制御するものである。
【０００３】
このような従来の音量調整装置では、ミキシングレベルなどの音量制御量は、ツマミの位置と１対１の決まった比例率に固定されていた。このため、音量調整の可能な範囲はフェーダー目盛りに表示の範囲に限られ、また、０ｄＢ付近など特定の領域を中心とした細かなフェーダー操作は困難であった。
【０００４】
また、音量調整に関連してよく用いられる音響効果として、フェードイン、フェードアウトが有るが、従来、このようなフェードイン、フェードアウトは、ホストコンピュータなど専用の制御機器やその設定操作等の煩わしい作業が必須で、簡単に自動実行できるものではなく、利用が煩雑であった。
【０００５】
従来の音量調整装置の一例は、図３に示すように、例えば、フェーダツマミ２０を動かし、その動きに応じた音声制御コマンドを音声制御部３に伝達することで、１０ｄＢから−∞の間で目盛りにそった音声制御を行い、この音声制御に応じ、音声信号入力に対する音声出力レベルを変動させる。また、ＬＡＮ等の通信手段で接続したホストコンピュータＨをオペレータが操作して自動フェードイン／アウトを実行させる。
【０００６】
また、細かなフェーダー操作に関連する従来の例として、所定の切替操作をすると、ツマミが可動範囲のセンタへモータで移動し、異なる倍率でそれまでの値からの相対的増減が可能な例は提案されていた（例えば、特許文献１参照）。
【特許文献１】特公平７−３４５３１
【発明の開示】
【発明が解決しようとする課題】
【０００７】
しかし、上記の特許文献１の場合も、一方向へ動かせる幅がセンタからでは半分に限られ、範囲の一端付近など所望の部分での微調整が困難という課題があるうえ、他の効果が期待できず、加えてツマミを動かすモータが必須という制約も不利であり、さらなる改善技術が希求されていた。
【０００８】
本発明は、上記のような課題を解決するもので、その目的は、音量調整の技術において、ツマミの可動範囲全体を有効活用して微調整を容易にすることである。本発明の他の目的は、自動によるフェードイン、フェードアウトを容易にすることである。
【課題を解決するための手段】
【０００９】
上記の目的をふまえ、本発明の一態様は、操作用のフェーダーツマミと、与えられる音声信号入力に対し、前記ツマミの位置に応じた制御量の音量調整を施して音声出力とする音声制御部と、を有する音量調整装置において、与えられる所定の設定操作に応じ、前記ツマミの位置と前記制御量との倍率の変更を行うズーム手段を、コンピュータの演算制御部で実現することを特徴とする。
【００１０】
このように、操作されるフェーダツマミの位置に対する音声の制御量について、目盛りに対し通常の１対１だけでなく２倍、３倍、５倍などに倍率をズームさせることにより、可動範囲全体を活かし所望の音量レベル付近で細かな音量制御をオペレータ等が容易に行えるようになる。また、ズームにより音量調整範囲が限定されるため、音量調整量にリミットをかけ、誤操作を防止する効果も得られる。
【００１１】
本発明の他の態様は、さらに、前記ズーム手段は、前記設定操作が開始されたときの前記ツマミの位置を、前記制御量の変更されない基準点として、前記倍率を変更するように構成されたことを特徴とする。
【００１２】
このように、ズームの設定操作開始時におけるツマミ位置を、ズーム適用前後で制御量の変更されない基準点とすることにより、所望の値の上、下もしくは上下付近での精密な制御が容易になる。
【００１３】
本発明の他の態様は、さらに、前記ズーム手段は、前記倍率の変更について、遷移所要時間であるズーム時間の設定を受け付けるとともに、所定の操作を受けて前記倍率の変更を前記ズーム時間をかけて漸次行うように構成されたことを特徴とする。
【００１４】
このように、倍率変更すなわちズームの時間設定を可能とすることにより、ツマミを注意して一定速度で移動させたり、従来のようにホストコンピュータなどの制御機器を別途用意しなくても、安価かつ容易に、スイッチのワンタッチなど簡単な操作で自動のフェードイン、フェードアウト効果を実現可能となる。
【００１５】
なお、方法及びプログラムについても、以上の各態様に準じる。
【発明の効果】
【００１６】
以上のように、本発明によれば、音量調整の技術において、ツマミの可動範囲全体を有効活用して微調整を容易にすることが可能となる。
【発明を実施するための最良の形態】
【００１７】
次に、本発明を実施するための最良の実施形態について、図に沿って説明する。なお、背景技術や課題と共通の前提事項については適宜省略する。
【００１８】
〔１．構成〕
本実施形態における音量調整装置（以下「本装置」と呼ぶ）は、図１に示すように、装置表面のフェーダー部１０に設けた操作用のフェーダーツマミ２０と、ツマミ２０の位置に応じて音量制御を行う音声制御部３０と、ツマミ２０の位置と音量制御量の倍率変更を司るズーム手段４０と、を有する。
【００１９】
また、フェーダー部１０は、１０ｄＢ〜０ｄＢ〜−∞の目盛り表示のほか、押しボタン形式のズーム設定スイッチ５０と、４桁の英数字を表示する液晶等の表示部６０を有する。ズーム設定スイッチ５０は、内部にＬＥＤがあり、ズーム手段４０による制御を受けて点灯、点滅するよう配線されている。
【００２０】
このフェーダー部１０は、ツマミ位置を音声制御コマンドとして音声制御部３０へ送り、音声制御部３０は、与えられる音声信号入力に対しツマミ２０の位置に応じた制御量の音量調整を施して音声出力を生成する部分である。
【００２１】
これらのうち、音声制御部３０とズーム手段４０は、ＡＳＩＣやＦＰＧＡなどの専用回路を用いてもよいが、コンピュータの演算制御部（ＣＰＵなど）を所定の音量調整プログラムで制御することにより実現でき、本発明及び本実施形態の以下のような機能作用を実現実行する処理手段である。
【００２２】
〔２．基本的作用効果〕
上記のように構成された本装置における基本的作用効果は、ツマミ位置に対する制御量の倍率変更である。すなわち、ズーム手段４０は、フェーダー部１０で与えられる所定の設定操作に応じ、ツマミ２０の位置と前記制御量との倍率の変更を行う（ズーム処理）。
【００２３】
このように、操作されるツマミ２０の位置に対する音声の制御量について、目盛りに対し通常の１対１だけでなく２倍、３倍、５倍などに倍率をズームさせることにより、可動範囲全体を活かし所望の音量レベル付近で細かな音量制御をオペレータ等が容易に行えるようになる。
【００２４】
また、ズームにより音量調整範囲が限定されるため、音量調整量にリミットをかけ、誤操作を防止する効果も得られる。例えば、音声制御範囲について、本来１０ｄＢ〜−∞のところズーム倍率２倍とすれば、５ｄＢから−∞となり、５ｄＢ以上の制御に対するリミットが実現できる。
【００２５】
〔３．中心の指定〕
また、ツマミの可動範囲からズームの中心を指定可能とすることが望ましい。この場合、ズーム手段４０により、設定操作が開始されたときのツマミ２０の位置を、制御量の変更されない基準点として、倍率を変更するようにすればよい。このように、ズームの設定操作開始時におけるツマミ位置を、ズーム適用前後で制御量の変更されない基準点とすることにより、所望の値の上、下もしくは上下付近での精密な制御が容易になる。
【００２６】
例えば、図１で例示するフェーダーでは、通常時に音声制御を行う目盛り範囲は「１０ｄＢ」から「−∞」の間であるが、位置目盛り「０ｄＢ」を中心に、倍率を２倍に変更したズーム状態では、ツマミを実表示目盛りの「−１０ｄＢ」から「＋１０ｄＢ」に移動させた場合、各目盛り位置での制御量は次のようになり、レベル０ｄＢの付近でのきめ細かなフェーダー制御が容易になる。なお、倍率を変更したズーム状態での制御量をズーム量とも呼ぶ。
（実目盛り）  （制御量）
１０ｄＢ     5.0ｄＢ
９ｄＢ     4.5ｄＢ
８ｄＢ     4.0ｄＢ
：          ：
０ｄＢ      ０ｄＢ
：          ：
−８ｄＢ     4.0ｄＢ
−９ｄＢ    -4.5ｄＢ
−１０ｄＢ    -5.0ｄＢ
【００２７】
〔４．ズーム時間の設定〕
また、倍率の変更を瞬時に行わず時間をかければ、フェードイン、フェードアウトの自動実行が容易になる。この場合、ズーム手段４０により、倍率の変更について、遷移所要時間であるズーム時間の設定を受け付けるとともに、前記倍率の変更を、所定の操作を受けて前記倍率の変更を前記ズーム時間をかけて漸次行う。
【００２８】
このように、倍率変更すなわちズームの時間設定を可能とすることにより、ツマミを注意して一定速度で移動させたり、従来のようにホストコンピュータ（図３）などの制御機器を別途用意しなくても、安価かつ容易に、スイッチのワンタッチなど簡単な操作で自動のフェードイン、フェードアウト効果を実現可能となる。
【００２９】
〔５．操作の例〕
次に、以上のような倍率とズーム時間の設定ならびに利用の手順を例示する。この手順は、フェーダー部１０に設けたズーム設定スイッチ５０と英数字の表示部６０を用いる。
【００３０】
まず（図１）、ツマミ２０を目盛りズームの中心とする位置（例えば０ｄＢ）に移動させ、ズーム設定スイッチ５０を所定秒数（例えば５秒間ほど）長押しすると、ズーム設定機能モードに移行し、ズーム設定スイッチ５０のＬＥＤランプが点滅し、表示部６０には「ＺＯＯＭ」と表示する。
【００３１】
この状態でツマミ２０でズーム倍率（倍数）設定を受け付ける。すなわち、ツマミ２０を移動させるとツマミ位置に応じてズーム量を表示部６０に表示する。例えば、「×０」の表示は０倍で、ツマミ２０がどの位置でも「−∞」と定義付け、フェードイン、フェードアウトにも用いる。また「×１」の表示は１倍で、通常のままでズーム無効の設定とする。また、他に「×２」，「×３」…「×１０」といった具合に、所望のズーム量を表示した状態で再度ズーム設定スイッチ５０を押すと倍率設定完了となる。
【００３２】
次に、表示部６０に「ＴＩＭＥ」と表示され、この状態でツマミ２０でズームの所要時間設定を受け付ける。すなわち、ツマミ２０を移動させるとズーム移行時間がツマミ２０の位置に応じて表示される。例えば「０ｓｅｃ」、「０．５ｓｅｃ」、「１ｓｅｃ」といった具合である。これは、フェードイン、フェードアウトにかける所要時間の設定であり、「０ｓｅｃ」（０秒）の場合はフェード無しとなる。
【００３３】
そして、所望の時間を表示した状態でさらにズーム設定スイッチ５０を押すとズーム移行時間設定完了となり、ズーム設定モードを抜けてズーム設定スイッチ５０のＬＥＤランプも消灯する。なお、上記のようなズーム倍率と、時間の設定は、上の例ではツマミ２０を動かして設定したが、フェーダーのツマミ２０とは別にそれぞれ専用のスイッチやツマミを設けたり、また必須ではないがスライドスイッチなどの切替スイッチ７０により、倍率と時間のうち所望の一方ずつ設定可能としてもよい。
【００３４】
以上のようにズーム量とズーム時間が設定された後、ズーム設定スイッチ５０を短押しすると、次のような動作となる。まず、ズーム設定スイッチ５０のＬＥＤランプは点灯し、設定されたズームの目盛りへ指定ズーム時間をかけて音声制御量が変化する。また、再度ズーム設定スイッチ５０を押すと、ズーム設定スイッチ５０のＬＥＤランプは消灯し、元の目盛り（Ｘ１）へ同様の時間をかけて変化する。例えば、ズーム量１倍から０倍への変化で、時間を１秒に設定すれば、ズームの切り替えにより１秒のフェードアウトを簡単に行える。
【００３５】
このように、ズーム設定スイッチ５０は、通常状態⇔ズーム状態のトグル（交互切替）動作となり、これにより、ツマミを注意して一定速度で動かしたり別途ホストコンピュータを用意しなくても、安価かつ容易に、そのようなズーム時間をかけてのフェードイン、フェードアウト効果が実現される。ズーム時間の設定が０秒の場合はフェードアウト、フェードインとはならず即時切替となる。
【００３６】
また、このような動作に対応する制御処理（フェーダー目盛りズーム処理）のフローチャートを図２に示す。すなわち、ズーム設定スイッチ５０が押された場合（ステップＳ１）、ズーム設定スイッチ５０のＬＥＤランプが消灯中なら（ステップＳ２）、設定されたズーム量まで、設定されたズーム時間をかけて、現在のフェーダツマミ位置の制御量を変化させる（ステップＳ３）。
【００３７】
この場合、例えば、フェーダツマミ位置が目盛りの０ｄＢにあって、ズーム量が０倍、ズーム時間が１秒だった場合、０ｄＢから  −∞まで、１秒のフェードアウトを実行する。０ｄＢがズームの中心であった場合、０倍指定時はフェードアウトとなるが、０倍以外の場合は音声制御量は変化しないこととなる。そして、その後、ズーム設定スイッチ５０のＬＥＤランプを点灯し（ステップＳ４）、ズーム設定スイッチ５０に関する操作の検出に戻る（ステップＳ１）。
【００３８】
また、ズーム設定スイッチ５０が押されたとき（ステップＳ１）ズーム設定スイッチ５０のＬＥＤランプが消灯中で無く点灯中なら（ステップＳ２）、ズームされている制御量から元の目盛りの制御量にフェーダツマミ位置の制御量を変化させる（ステップＳ５）。例えば、０倍の設定でツマミ２０の位置が０ｄＢだった場合は−∞から０ｄＢへの１秒のフェードインを実行する。そして、その後、ズーム設定スイッチ５０のＬＥＤランプを消灯し（ステップＳ６）、ズーム設定スイッチ５０に関する操作の検出に戻る（ステップＳ１）。
【００３９】
〔６．他の実施形態〕
なお、本発明は、上記実施形態に限定されるものではなく、以下に例示するものやそれ以外の他の実施形態も含むものである。例えば、「ムービングフェーダ」などと呼ぶ自動移動タイプのツマミのときは、ズーム状態への移行時にもとのツマミ位置をメモリに記憶しておき、通常の状態に戻す際、ツマミをモータで移動させズーム前の位置に戻すこともできる。
【００４０】
また、上記実施形態では、ズームの倍率や時間の設定に、専用のスイッチ５０，７０や表示部６０を用いたが（図１）、これらは必須ではなく、例えば、設定スイッチはフェーダのツマミを長押しするなどで兼用させたり、表示部に代え、倍率やズーム時間秒数を確認応答を電子合図音で行うなど、適宜変更実施可能である。
【図面の簡単な説明】
【００４１】
【図１】本発明の実施形態の構成を示す図。
【図２】本発明の実施形態における処理手順を示すフローチャート。
【図３】従来の音量調整装置の構成を例示する図。
【符号の説明】
【００４２】
１０…フェーダー部
２０…ツマミ
３０…音声制御部
４０…ズーム手段
５０…ズーム設定スイッチ
６０…表示部
７０…切替スイッチ
【図１】
2008199259.tif 000003
【図２】
2008199259.tif 000004
【図３】
2008199259.tif 000005